(57)【要約】【課題】信号の伝送路等化を、より単純な処理により行う。【解決手段】シンボル１、２、…、２０４を有するフレームを複数有する被測定信号を処理する伝送路等化装置１２であって、シンボルを周波数領域で表現した周波数領域データを取得する部分FFTデータ取得部１２ｃと、取得された周波数領域データに基づき、被測定信号の等化係数を導出する等化係数導出部１２ｅと、等化係数に基づき、被測定信号に等化処理を施す等化処理部１２ｆとを備え、部分FFTデータ取得部１２ｃは、等化処理の対象となるある一個のシンボルから４個のシンボルを連続させた対象連続シンボルが、互いに隣接する二個のフレームにまたがって存在する場合は、二個のフレームのうちのいずれか一方のフレームにのみ存在する連続した所定の個数のシンボルについて周波数領域データを取得するように構成される。【選択図】図５
2007282112.tif 000002
【特許請求の範囲】
【請求項１】
複数のシンボルを有するフレームを複数有する被測定信号を処理する信号処理装置であって、
前記シンボルを周波数領域で表現した周波数領域データを取得する周波数領域データ取得手段と、
前記取得された前記周波数領域データに基づき、前記被測定信号の等化係数を導出する等化係数導出手段と、
前記等化係数に基づき、前記被測定信号に等化処理を施す等化処理手段と、
を備え、
前記周波数領域データ取得手段は、
（１）等化処理の対象となるある一個の前記シンボルから所定の個数の前記シンボルを連続させた対象連続シンボルが、同一のフレームにのみ存在する場合は、前記対象連続シンボルについて前記周波数領域データを取得し、
（２）前記対象連続シンボルが、互いに隣接する二個のフレームにまたがって存在する場合は、前記二個のフレームのうちのいずれか一方のフレームにのみ存在する連続した所定の個数の前記シンボルについて前記周波数領域データを取得する、
信号処理装置。
【請求項２】
請求項１に記載の信号処理装置であって、
前記周波数領域データ取得手段は、
前記対象連続シンボルが、互いに隣接する二個のフレームにまたがって存在する場合は、
前記二個のフレームのうちの、前方に存在する前方フレームにおいて、最も後方に位置する連続した所定の個数の前記シンボルについて前記周波数領域データを取得する、
信号処理装置。
【請求項３】
請求項１または２に記載の信号処理装置であって、
前記被測定信号はOFDM変調された信号である、
信号処理装置。
【請求項４】
複数のシンボルを有するフレームを複数有する被測定信号を処理する信号処理方法であって、
前記シンボルを周波数領域で表現した周波数領域データを取得する周波数領域データ取得工程と、
前記取得された前記周波数領域データに基づき、前記被測定信号の等化係数を導出する等化係数導出工程と、
前記等化係数に基づき、前記被測定信号に等化処理を施す等化処理工程と、
を備え、
前記周波数領域データ取得工程は、
（１）等化処理の対象となるある一個の前記シンボルから所定の個数の前記シンボルを連続させた対象連続シンボルが、同一のフレームにのみ存在する場合は、前記対象連続シンボルについて前記周波数領域データを取得し、
（２）前記対象連続シンボルが、互いに隣接する二個のフレームにまたがって存在する場合は、前記二個のフレームのうちのいずれか一方のフレームにのみ存在する連続した所定の個数の前記シンボルについて前記周波数領域データを取得する、
信号処理方法。
【請求項５】
複数のシンボルを有するフレームを複数有する被測定信号の処理をコンピュータに実行させるためのプログラムであって、
前記シンボルを周波数領域で表現した周波数領域データを取得する周波数領域データ取得処理と、
前記取得された前記周波数領域データに基づき、前記被測定信号の等化係数を導出する等化係数導出処理と、
前記等化係数に基づき、前記被測定信号に等化処理を施す等化処理と、
をコンピュータに実行させるためのプログラムであり、
前記周波数領域データ取得処理は、
（１）等化処理の対象となるある一個の前記シンボルから所定の個数の前記シンボルを連続させた対象連続シンボルが、同一のフレームにのみ存在する場合は、前記対象連続シンボルについて前記周波数領域データを取得し、
（２）前記対象連続シンボルが、互いに隣接する二個のフレームにまたがって存在する場合は、前記二個のフレームのうちのいずれか一方のフレームにのみ存在する連続した所定の個数の前記シンボルについて前記周波数領域データを取得する、
プログラム。
【請求項６】
複数のシンボルを有するフレームを複数有する被測定信号の処理をコンピュータに実行させるためのプログラムを記録したコンピュータによって読み取り可能な記録媒体であって、
前記シンボルを周波数領域で表現した周波数領域データを取得する周波数領域データ取得処理と、
前記取得された前記周波数領域データに基づき、前記被測定信号の等化係数を導出する等化係数導出処理と、
前記等化係数に基づき、前記被測定信号に等化処理を施す等化処理と、
をコンピュータに実行させるためのプログラムを記録したコンピュータによって読み取り可能な記録媒体であり、
前記周波数領域データ取得処理は、
（１）等化処理の対象となるある一個の前記シンボルから所定の個数の前記シンボルを連続させた対象連続シンボルが、同一のフレームにのみ存在する場合は、前記対象連続シンボルについて前記周波数領域データを取得し、
（２）前記対象連続シンボルが、互いに隣接する二個のフレームにまたがって存在する場合は、前記二個のフレームのうちのいずれか一方のフレームにのみ存在する連続した所定の個数の前記シンボルについて前記周波数領域データを取得する、
記録媒体。
【発明の詳細な説明】
【技術分野】
【０００１】
本発明はOFDM(Orthogonal
Frequency Division Multiplexing)方式により変調された信号の伝送路等化に関する。
【背景技術】
【０００２】
従来より知られているOFDM変調信号を復調する際に、伝送路等化を行うことがある（例えば、特許文献１を参照）。伝送路等化は、次のような手順により行われる。
【０００３】
まず、OFDM変調信号をFFT（高速フーリエ変換）することにより周波数領域で表現したものから４シンボル分のSP信号を得る。次に、そのSP信号に基づき、伝送路の伝達特性を求める。そして、伝送路の伝達特性に基づき、等化係数を求める。最後に、求められた等化係数に基づき、伝送路等化を行う。
【０００４】
なお、上記のような方法をとる場合、フレームの境界をまたいで、４シンボル分のSP信号を得ることが生じる場合がある。また、フレームの境界において、シンボルの位相は不連続である。
【０００５】
【特許文献１】特開２００５−２５２６７１号公報
【発明の開示】
【発明が解決しようとする課題】
【０００６】
上記のような方法により伝送路等化を行う場合、フレームの境界をまたいで４シンボル分のSP信号を得ると、フレームの境界においてシンボルの位相が不連続であるため、正しく伝送路の伝達特性を測定できない。よって、伝送路等化を正確に行えない。
【０００７】
ここで、フレームの境界において、シンボルの位相が連続するように位相補正を行ってから、伝送路等化を行うことも考えられる。しかし、伝送路等化に加えて、位相補正まで行う必要性が生じるため、処理手順が複雑化する。処理手順が複雑化すると、例えば、ハードウェア規模が大きくなるといった問題がある。
【０００８】
そこで、本発明は、信号の伝送路等化を、より単純な処理により行うことを課題とする。
【課題を解決するための手段】
【０００９】
本発明にかかる信号処理装置は、複数のシンボルを有するフレームを複数有する被測定信号を処理する信号処理装置であって、前記シンボルを周波数領域で表現した周波数領域データを取得する周波数領域データ取得手段と、前記取得された前記周波数領域データに基づき、前記被測定信号の等化係数を導出する等化係数導出手段と、前記等化係数に基づき、前記被測定信号に等化処理を施す等化処理手段と、を備え、前記周波数領域データ取得手段は、（１）等化処理の対象となるある一個の前記シンボルから所定の個数の前記シンボルを連続させた対象連続シンボルが、同一のフレームにのみ存在する場合は、前記対象連続シンボルについて前記周波数領域データを取得し、（２）前記対象連続シンボルが、互いに隣接する二個のフレームにまたがって存在する場合は、前記二個のフレームのうちのいずれか一方のフレームにのみ存在する連続した所定の個数の前記シンボルについて前記周波数領域データを取得するように構成される。
【００１０】
上記のように構成された本発明によれば、複数のシンボルを有するフレームを複数有する被測定信号を処理する信号処理装置が提供される。
【００１１】
周波数領域データ取得手段は、前記シンボルを周波数領域で表現した周波数領域データを取得する。等化係数導出手段は、前記取得された前記周波数領域データに基づき、前記被測定信号の等化係数を導出する。等化処理手段は、前記等化係数に基づき、前記被測定信号に等化処理を施す。
【００１２】
前記周波数領域データ取得手段は、（１）等化処理の対象となるある一個の前記シンボルから所定の個数の前記シンボルを連続させた対象連続シンボルが、同一のフレームにのみ存在する場合は、前記対象連続シンボルについて前記周波数領域データを取得し、（２）前記対象連続シンボルが、互いに隣接する二個のフレームにまたがって存在する場合は、前記二個のフレームのうちのいずれか一方のフレームにのみ存在する連続した所定の個数の前記シンボルについて前記周波数領域データを取得する。
【００１３】
また、本発明にかかる信号処理装置は、前記周波数領域データ取得手段が、前記対象連続シンボルが、互いに隣接する二個のフレームにまたがって存在する場合は、前記二個のフレームのうちの、前方に存在する前方フレームにおいて、最も後方に位置する連続した所定の個数の前記シンボルについて前記周波数領域データを取得するようにしてもよい。
【００１４】
また、本発明にかかる信号処理装置は、前記被測定信号がOFDM変調された信号であるものであってもよい。
【００１５】
本発明は、複数のシンボルを有するフレームを複数有する被測定信号を処理する信号処理方法であって、前記シンボルを周波数領域で表現した周波数領域データを取得する周波数領域データ取得工程と、前記取得された前記周波数領域データに基づき、前記被測定信号の等化係数を導出する等化係数導出工程と、前記等化係数に基づき、前記被測定信号に等化処理を施す等化処理工程と、を備え、前記周波数領域データ取得工程は、（１）等化処理の対象となるある一個の前記シンボルから所定の個数の前記シンボルを連続させた対象連続シンボルが、同一のフレームにのみ存在する場合は、前記対象連続シンボルについて前記周波数領域データを取得し、（２）前記対象連続シンボルが、互いに隣接する二個のフレームにまたがって存在する場合は、前記二個のフレームのうちのいずれか一方のフレームにのみ存在する連続した所定の個数の前記シンボルについて前記周波数領域データを取得する信号処理方法である。
【００１６】
本発明は、複数のシンボルを有するフレームを複数有する被測定信号の処理をコンピュータに実行させるためのプログラムであって、前記シンボルを周波数領域で表現した周波数領域データを取得する周波数領域データ取得処理と、前記取得された前記周波数領域データに基づき、前記被測定信号の等化係数を導出する等化係数導出処理と、前記等化係数に基づき、前記被測定信号に等化処理を施す等化処理と、をコンピュータに実行させるためのプログラムであり、前記周波数領域データ取得処理は、（１）等化処理の対象となるある一個の前記シンボルから所定の個数の前記シンボルを連続させた対象連続シンボルが、同一のフレームにのみ存在する場合は、前記対象連続シンボルについて前記周波数領域データを取得し、（２）前記対象連続シンボルが、互いに隣接する二個のフレームにまたがって存在する場合は、前記二個のフレームのうちのいずれか一方のフレームにのみ存在する連続した所定の個数の前記シンボルについて前記周波数領域データを取得するプログラムである。
【００１７】
本発明は、複数のシンボルを有するフレームを複数有する被測定信号の処理をコンピュータに実行させるためのプログラムを記録したコンピュータによって読み取り可能な記録媒体であって、前記シンボルを周波数領域で表現した周波数領域データを取得する周波数領域データ取得処理と、前記取得された前記周波数領域データに基づき、前記被測定信号の等化係数を導出する等化係数導出処理と、前記等化係数に基づき、前記被測定信号に等化処理を施す等化処理と、をコンピュータに実行させるためのプログラムを記録したコンピュータによって読み取り可能な記録媒体であり、前記周波数領域データ取得処理は、（１）等化処理の対象となるある一個の前記シンボルから所定の個数の前記シンボルを連続させた対象連続シンボルが、同一のフレームにのみ存在する場合は、前記対象連続シンボルについて前記周波数領域データを取得し、（２）前記対象連続シンボルが、互いに隣接する二個のフレームにまたがって存在する場合は、前記二個のフレームのうちのいずれか一方のフレームにのみ存在する連続した所定の個数の前記シンボルについて前記周波数領域データを取得する記録媒体である。
【発明を実施するための最良の形態】
【００１８】
以下、本発明の実施形態を図面を参照しながら説明する。
【００１９】
図１は、OFDM信号復調装置１の構成を示す機能ブロック図である。OFDM信号復調装置１は、ＦＦＴ部１０、伝送路等化装置（信号処理装置）１２、復調部１４を備える。OFDM信号復調装置１は、被測定信号Ｓを受信する。なお、被測定信号Ｓは、OFDM(Orthogonal
Frequency Division Multiplexing)変調されている。
【００２０】
図２は、被測定信号Ｓの構成を示す図であり、被測定信号Ｓの構成（図２（ａ））、フレームｆ１の構成（図２（ｂ））を示す図である。
【００２１】
図２（ａ）に示すように、被測定信号Ｓはフレームｆ１、ｆ２、…、ｆｋ（ただし、ｋは３以上の整数）を有する。また、図２（ｂ）に示すように、フレームｆ１は、シンボル１、２、…、２０３、２０４を有する。なお、フレームｆ２、…、ｆｋも、フレームｆ１と同様に、シンボル１、２、…、２０３、２０４を有する。
【００２２】
図３は、被測定信号Ｓの構成（図３（ａ））、フレームｆ１、ｆ２のフレーム境界ｆＢの近傍の被測定信号Ｓの構成（図３（ｂ））を示す図である。
【００２３】
図３（ａ）を参照して、被測定信号Ｓの構成は図２（ａ）に示したとおりであるが、フレームｆ１、ｆ２の境界をフレーム境界ｆＢという。また、図３（ｂ）に示すように、フレーム境界ｆＢの直前に、フレームｆ１のシンボル２０３、シンボル２０４が配置される。フレーム境界ｆＢの直後に、フレームｆ２のシンボル１、シンボル２が配置される。
【００２４】
ＦＦＴ部１０は、被測定信号Ｓが有するフレームｆ１、ｆ２、…、ｆｋにおけるシンボル１、２、…、２０３、２０４をＦＦＴ（高速フーリエ変換）する。これによりシンボルを周波数領域で表現したデータ（「周波数領域データ」という）を取得する。
【００２５】
図４は、ＦＦＴ部１０による処理に用いられるＦＦＴ窓１０ｗを説明するための図である。各々のシンボルにはＦＦＴ窓１０ｗが対応づけられている。ＦＦＴ窓１０ｗの範囲内のシンボルをＦＦＴする。ＦＦＴ窓１０ｗの位置は、シンボル同期信号が生成されるタイミングを基準にして決定される。シンボル同期信号が生成されるタイミングはフレーム境界ｆＢにおいて補正されることがある（図４においては、補正されることとしている）。シンボル同期信号が生成されるタイミングと、送信側の同期信号が生成されるタイミングとのズレを大きくしないようにするためである。シンボル同期信号が生成されるタイミングがフレーム境界ｆＢにおいて補正されると、ＦＦＴ窓１０ｗの位置が移動する。図４を参照すると、フレームｆ１における各シンボルにおけるＦＦＴ窓１０ｗの位置は後ろ寄りであるが、フレームｆ２における各シンボルにおけるＦＦＴ窓１０ｗの位置は前寄りである。
【００２６】
伝送路等化装置（信号処理装置）１２は、周波数領域データに基づき、被測定信号Ｓに等化処理を施す。
【００２７】
復調部１４は、等化処理を施された被測定信号Ｓを復調する。
【００２８】
図５は、本発明の実施形態にかかる伝送路等化装置１２の構成を示す機能ブロック図である。伝送路等化装置（信号処理装置）１２は、FFTデータ記録部１２ａ、カウンタ１２ｂ、部分FFTデータ取得部（周波数領域データ取得手段）１２ｃ、部分FFTデータ記録部１２ｄ、等化係数導出部１２ｅ、等化処理部１２ｆを備える。
【００２９】
FFTデータ記録部１２ａは、ＦＦＴ部１０から周波数領域データを受けて記録する。
【００３０】
カウンタ１２ｂは、整数ｎを１、２、…、２０４までカウントし、整数ｎが２０５に達すると、整数ｎを１に戻す。
【００３１】
部分FFTデータ取得部（周波数領域データ取得手段）１２ｃは、FFTデータ記録部１２ａから、整数ｎの値に応じて、複数のシンボルの周波数領域データを取得する。
【００３２】
部分FFTデータ記録部１２ｄは、部分FFTデータ取得部１２ｃの取得結果を記録する。部分FFTデータ記録部１２ｄの記録内容（部分FFTデータ取得部１２ｃの取得結果）は、整数ｎ＝１の場合は、シンボル１、２、３、４の周波数領域データである。整数ｎ＝２の場合は、シンボル２、３、４、５の周波数領域データである。すなわち、シンボルｎ、ｎ＋１、ｎ＋２、ｎ＋３の周波数領域データが記録される。ただし、整数ｎ＝２０２、２０３、２０４の場合は、シンボル２０１、２０２、２０３、２０４の周波数領域データが記録される。
【００３３】
なお、整数ｎが変わった時点で、部分FFTデータ記録部１２ｄの記録内容を全て変更してもよいが、差分だけ変更してもよい。例えば、整数ｎ＝１の場合は、シンボル１、２、３、４の周波数領域データを部分FFTデータ取得部１２ｃが取得して、部分FFTデータ記録部１２ｄに記録する。整数ｎの値が２に変われば、シンボル２、３、４、５の周波数領域データを部分FFTデータ取得部１２ｃが取得して、部分FFTデータ記録部１２ｄに記録するようにしてもよい（記録内容の全ての変更）。また、シンボル５の周波数領域データを部分FFTデータ取得部１２ｃが取得して、部分FFTデータ記録部１２ｄに記録し、シンボル１は部分FFTデータ記録部１２ｄから消去するようにしてもよい（差分だけ変更）。
【００３４】
部分FFTデータ記録部１２ｄの記録内容の全てを変更するにしても、差分だけ変更するにしても、部分FFTデータ取得部１２ｃが、シンボルｎ、ｎ＋１、ｎ＋２、ｎ＋３の周波数領域データを取得していることに変わりは無い。なお、後述するように、シンボルｎが等化処理の対象である（図９のＳ１５を参照）。
【００３５】
ただし、整数ｎ＝２０２、２０３、２０４の場合は、整数ｎがいずれの値をとっても、シンボル２０１、２０２、２０３、２０４の周波数領域データが記録される。よって、部分FFTデータ記録部１２ｄの記録内容の差分だけ変更する方法を採用した場合は、部分FFTデータ記録部１２ｄの記録内容を変更せずにそのまま保持することになる。
【００３６】
なお、整数ｎ＝２０２、２０３、２０４の場合、部分FFTデータ記録部１２ｄの記録内容の全てを変更するにしても、差分だけ変更するにしても、部分FFTデータ取得部１２ｃが、シンボル２０１、２０２、２０３、２０４の周波数領域データを取得していることに変わりは無い。なお、後述するように、シンボルｎが等化処理の対象である（図９のＳ１５を参照）。
【００３７】
等化係数導出部１２ｅは、部分FFTデータ記録部１２ｄの記録内容（部分FFTデータ取得部１２ｃの取得結果）に基づき、被測定信号Ｓの等化係数を導出する。
【００３８】
等化処理部１２ｆは、等化係数導出部１２ｅの導出した等化係数に基づき、被測定信号Ｓに等化処理を施す。
【００３９】
次に、本発明の実施形態の動作を図９のフローチャートを参照して説明する。図９は、本発明の実施形態にかかる伝送路等化装置１２の動作を示すフローチャートである。
【００４０】
ＦＦＴ部１０は、被測定信号Ｓが有するフレームｆ１、ｆ２、…、ｆｋにおけるシンボル１、２、…、２０３、２０４をＦＦＴ（高速フーリエ変換）する。これにより、周波数領域データを取得する。
【００４１】
ＦＦＴ部１０の取得した周波数領域データは、伝送路等化装置１２のFFTデータ記録部１２ａに記録される。
【００４２】
ここで、カウンタ１２ｂにおいて、整数ｎが１とされる（Ｓ１０）。
【００４３】
FFTデータ記録部１２ａに記録されているフレームで、まだ等化処理の終わっていない（すなわち、等化処理すべき）フレームが存在していれば（Ｓ１１、Ｙｅｓ）、シンボルｎからシンボルｎ＋３までの周波数領域データを、部分FFTデータ取得部１２ｃが取得する（Ｓ１２）。
【００４４】
そして、部分FFTデータ取得部１２ｃにより取得された周波数領域データに基づき、等化係数導出部１２ｅが、シンボルｎについての等化係数を導出する（Ｓ１４）。
【００４５】
さらに、等化処理部１２ｆが、導出された等化係数に基づき、シンボルｎについて等化処理を行う（Ｓ１５）。
【００４６】
等化処理部１２ｆが、シンボルｎについて等化処理を終えると、カウンタ１２ｂにその旨を示す信号を送る。この信号を受けて、カウンタ１２ｂが、整数ｎを１ふやす（Ｓ１６）。
【００４７】
シンボルｎからシンボルｎ＋３までの周波数領域データの取得（Ｓ１２）、等化係数の導出（Ｓ１４）、等化処理（Ｓ１５）および整数ｎを１増やすこと（Ｓ１６）を、ｎが２０２になるまで（Ｓ１８、Ｎｏ）繰り返す。すなわち、ｎが１から２０１については、Ｓ１２からＳ１５までの処理内容を繰り返す。
【００４８】
図６は、Ｓ１２からＳ１５までの処理内容を説明するための図である。まず、ｎ＝１とされ（Ｓ１０）、フレームｆ１のシンボル１からシンボル４まで（シンボル１、２、３、４）の周波数領域データが、部分FFTデータ取得部１２ｃにより取得される（Ｓ１２）と、それらの周波数領域データに基づき等化係数１ａが、等化係数導出部１２ｅにより導出される（Ｓ１４）。そして、等化処理部１２ｆが、等化係数１ａに基づき、シンボル１について等化処理を行う（Ｓ１５）。ここで、整数ｎが１から２となる（Ｓ１６）。
【００４９】
すると、シンボル２からシンボル５までの周波数領域データが、部分FFTデータ取得部１２ｃにより取得され（Ｓ１２）、それらの周波数領域データに基づき等化係数２ａが、等化係数導出部１２ｅにより導出される（Ｓ１４）。そして、等化処理部１２ｆが、等化係数２ａに基づき、シンボル２について等化処理を行う（Ｓ１５）。ここで、整数ｎが２から３となる（Ｓ１６）。
【００５０】
すると、シンボル３からシンボル６までの周波数領域データが、部分FFTデータ取得部１２ｃにより取得され（Ｓ１２）、それらの周波数領域データに基づき等化係数３ａが、等化係数導出部１２ｅにより導出される（Ｓ１４）。そして、等化処理部１２ｆが、等化係数３ａに基づき、シンボル３について等化処理を行う（Ｓ１５）。
【００５１】
このような処理を整数ｎが２０１になるまで繰り返す。
【００５２】
図７は、Ｓ１８からＳ２２までの処理内容を説明するための図である。図７を参照して、整数ｎが２００になると、シンボル２００からシンボル２０３までの周波数領域データが、部分FFTデータ取得部１２ｃにより取得され（Ｓ１２）、それらの周波数領域データに基づき等化係数２００ａが、等化係数導出部１２ｅにより導出される（Ｓ１４）。そして、等化処理部１２ｆが、等化係数２００ａに基づき、シンボル２００について等化処理を行う（Ｓ１５）。ここで、整数ｎが２００から２０１となる（Ｓ１６）。
【００５３】
整数ｎが２０１になると、シンボル２０１からシンボル２０４までの周波数領域データが、部分FFTデータ取得部１２ｃにより取得され（Ｓ１２）、それらの周波数領域データに基づき等化係数２０１ａが、等化係数導出部１２ｅにより導出される（Ｓ１４）。そして、等化処理部１２ｆが、等化係数２０１ａに基づき、シンボル２０１について等化処理を行う（Ｓ１５）。ここで、整数ｎが２０１から２０２となる（Ｓ１６）。
【００５４】
これは、ｎが２０２に達した（Ｓ１８、Ｙｅｓ）ということである。すると、ｎが２０５になるまで、すなわち、ｎが２０２、２０３または２０４であるときは（Ｓ２０、Ｎｏ）、部分FFTデータ取得部１２ｃが、シンボル２０１からシンボル２０４までの周波数領域データを取得する（Ｓ２２）。
【００５５】
そして、部分FFTデータ取得部１２ｃにより取得された、シンボル２０１からシンボル２０４までの周波数領域データに基づき、等化係数導出部１２ｅが、シンボルｎについての等化係数を導出する（Ｓ１４）。
【００５６】
さらに、等化処理部１２ｆが、導出された等化係数に基づき、シンボルｎについて等化処理を行う（Ｓ１５）。
【００５７】
等化処理部１２ｆが等化処理を終えると、カウンタ１２ｂが、整数ｎを１ふやす（Ｓ１６）。
【００５８】
図７を参照すると、ｎ＝２０２となると（Ｓ１８、Ｙｅｓ）、フレームｆ１のシンボル２０１からシンボル２０４まで（シンボル２０１、２０２、２０３、２０４）の周波数領域データが、部分FFTデータ取得部１２ｃにより取得される（Ｓ２２）。そして、それらの周波数領域データに基づき等化係数２０２ａが、等化係数導出部１２ｅにより導出される（Ｓ１４）。そして、等化処理部１２ｆが、等化係数２０２ａに基づき、シンボル２０２について等化処理を行う（Ｓ１５）。ここで、整数ｎが２０２から２０３となる（Ｓ１６）。
【００５９】
ｎ＝２０３となると（Ｓ１８、Ｙｅｓ）、フレームｆ１のシンボル２０１からシンボル２０４まで（シンボル２０１、２０２、２０３、２０４）の周波数領域データが、部分FFTデータ取得部１２ｃにより取得される（Ｓ２２）。そして、それらの周波数領域データに基づき等化係数２０３ａが、等化係数導出部１２ｅにより導出される（Ｓ１４）。そして、等化処理部１２ｆが、等化係数２０３ａに基づき、シンボル２０２について等化処理を行う（Ｓ１５）。ここで、整数ｎが２０３から２０４となる（Ｓ１６）。
【００６０】
ｎ＝２０４となると（Ｓ１８、Ｙｅｓ）、フレームｆ１のシンボル２０１からシンボル２０４まで（シンボル２０１、２０２、２０３、２０４）の周波数領域データが、部分FFTデータ取得部１２ｃにより取得される（Ｓ２２）。そして、それらの周波数領域データに基づき等化係数２０４ａが、等化係数導出部１２ｅにより導出される（Ｓ１４）。そして、等化処理部１２ｆが、等化係数２０４ａに基づき、シンボル２０４について等化処理を行う（Ｓ１５）。ここで、整数ｎが２０４から２０５となる（Ｓ１６）。
【００６１】
なお、等化係数２０１ａ、２０２ａ、２０３ａ、２０４ａの値は同じである。
【００６２】
整数ｎが２０５に達すると（Ｓ２０、Ｙｅｓ）、整数ｎが１に戻る（Ｓ１０）。そして、まだ等化処理の終わっていない（すなわち、等化処理すべき）フレームが存在しているか否かの判定（Ｓ１１）が行われる。
【００６３】
例えば、図７を参照して、フレームｆ１の処理が終了した時点では、等化処理すべきフレームｆ２が残っているので（Ｓ１１、Ｙｅｓ）、フレームｆ２について、上記と同様な処理が行われる。例えば、フレームｆ２のシンボル１からシンボル４までに基づき等化係数１ｂが導出され、等化係数１ｂに基づきフレームｆ２のシンボル１について等化処理が行われる。フレームｆ２のシンボル２からシンボル２までに基づき等化係数２ｂが導出され、等化係数２ｂに基づきフレームｆ２のシンボル２について等化処理が行われる。
【００６４】
上記のような処理をフレームｆｋまで行えば、等化処理すべきフレームはもはや存在しないので（Ｓ１１、Ｎｏ）、処理を終了する。
【００６５】
図６および図７を参照して、フレームｆ１のシンボル１からシンボル２０１までの等化処理には、等化処理の対象となるシンボルから４個連続したシンボル（「対象連続シンボル」という）（例えば、シンボル２００を等化処理の対象とする場合は、対象連続シンボルは、シンボル２００、２０１、２０２、２０３となる）に基づき取得された周波数領域データから導出された等化係数を用いる。なお、シンボル１からシンボル２０１までについては、対象連続シンボルは、同一のフレームｆ１にのみ存在している。
【００６６】
一方、フレームｆ１のシンボル２０２からシンボル２０４までの等化処理には、対象連続シンボルについてではなく、フレームｆ１にのみ存在する４個の連続したシンボルに基づき取得された周波数領域データから導出された等化係数を用いる。
【００６７】
なお、フレームｆ１のシンボル２０２からシンボル２０４までについては、対象連続シンボルは、互いに隣接するフレームｆ１、ｆ２にまたがって存在する。例えば、フレームｆ１のシンボル２０２が等化処理の対象である場合の対象連続シンボルは、フレームｆ１のシンボル２０２、２０３、２０４とフレームｆ２のシンボル１となる。
【００６８】
また、フレームｆ１のシンボル２０２からシンボル２０４の等化処理に使用する等化係数は、フレームｆ１にのみ存在する４個の連続したシンボル（例えば、フレームｆ１のシンボル２０１、２０２、２０３、２０４といった、フレームｆ１の最も後方に位置する４個の連続したシンボル）に基づき取得された周波数領域データから導出された等化係数である。なお、フレームｆ１は互いに隣接するフレームｆ２よりも前方に位置している。
【００６９】
復調部１４は、伝送路等化装置１２により等化処理が施された被測定信号Ｓを復調する。
【００７０】
本発明の実施形態によれば、OFDM変調信号の伝送路等化を、フレーム境界ｆＢにおいてシンボルの位相が連続するような位相補正を行わなくてよいので、より単純な処理により行うことができる。
【００７１】
図８は、比較例における等化係数２０２ａ、２０３ａ、２０４ａの導出法を示す図である。図８に示すように、比較例においては、フレームｆ１のシンボル２０２からシンボル２０４までの等化処理に使用する等化係数２０２ａ、２０３ａ、２０４ａが、シンボル２０２からシンボル２０４までの各々の対象連続シンボル（フレームｆ１のシンボル２０２、２０３、２０４とフレームｆ２のシンボル１）（フレームｆ１のシンボル２０３、２０４とフレームｆ２のシンボル１、２）（フレームｆ１のシンボル２０４とフレームｆ２のシンボル１、２、３）から導出されたものである。
【００７２】
図８のような比較例の場合、フレーム境界ｆＢにおいてＦＦＴ窓１０ｗの位置が変化するため（図４参照）、フレーム境界ｆＢにおいてシンボルの位相が不連続となるので、フレーム境界ｆＢをまたいで、フレームｆ１およびｆ２に存在する４個の連続したフレームから導出される等化係数２０２ａ、２０３ａ、２０４ａは正しい値とならない。
【００７３】
そこで、図８のような比較例の場合、フレーム境界ｆＢにおいてシンボルの位相が連続するように、位相補正を行わなければならない。
【００７４】
しかし、本発明の実施形態によれば、フレーム境界ｆＢをまたいで、フレームｆ１およびｆ２に存在する４個の連続したフレームから導出される等化係数は無いため、フレーム境界ｆＢにおいてシンボルの位相が連続するような位相補正を行わなくてよい。そこで、より単純な処理により等化処理を行うことができる。
【００７５】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分（例えば、伝送路等化装置１２）の機能を実現するプログラムを記録したメディアを読み取らせて、ハードディスクにインストールする。このような方法でも、上記の機能を実現できる。
【図面の簡単な説明】
【００７６】
【図１】OFDM信号復調装置１の構成を示す機能ブロック図である。
【図２】被測定信号Ｓの構成を示す図である。
【図３】被測定信号Ｓの構成（図３（ａ））、フレームｆ１、ｆ２のフレーム境界ｆＢの近傍の被測定信号Ｓの構成（図３（ｂ））を示す図である。
【図４】ＦＦＴ部１０による処理に用いられるＦＦＴ窓１０ｗを説明するための図である。
【図５】本発明の実施形態にかかる伝送路等化装置１２の構成を示す機能ブロック図である。
【図６】Ｓ１２からＳ１５までの処理内容を説明するための図である。
【図７】Ｓ１８からＳ２２までの処理内容を説明するための図である。
【図８】比較例における等化係数２０２ａ、２０３ａ、２０４ａの導出法を示す図である。
【図９】本発明の実施形態にかかる伝送路等化装置１２の動作を示すフローチャートである。
【符号の説明】
【００７７】
Ｓ  被測定信号
ｆ１、ｆ２、…、ｆｋ  フレーム
１２  伝送路等化装置（信号処理装置）
１２ａ  FFTデータ記録部
１２ｂ  カウンタ
１２ｃ  部分FFTデータ取得部（周波数領域データ取得手段）
１２ｄ  部分FFTデータ記録部
１２ｅ  等化係数導出部
１２ｆ  等化処理部
【図１】
2007282112.tif 000003
【図２】
2007282112.tif 000004
【図３】
2007282112.tif 000005
【図４】
2007282112.tif 000006
【図５】
2007282112.tif 000007
【図６】
2007282112.tif 000008
【図７】
2007282112.tif 000009
【図８】
2007282112.tif 000010
【図９】
2007282112.tif 000011